(57)【要約】      （修正有）【課題】台所での調理鍋等での料理作りの途中で鍋の蓋や菜箸やお玉を一括して収納し、料理の手元に持ち運びでき、楽にこれらの３点用具の出し入れと収納が出来る、台所ラックを提供する。【解決手段】ステンレス材等の金属棒でなる台所ラックＡにおいて、所定の間隔で２列に並列する山状部１ａと谷状部１ｂでの略Ｍ字状の本体１が支持アーム部１ｃを経由して一体化構成し、双方の谷状部１ｂにまたがって安定的に、調理鍋等の蓋Ｂが取り出し自在に収納され、更に本体１の一部に菜箸Ｃ等が収納取り出し自在でなるリング体２と、お玉Ｄ等を収納取り出し自在でなる受け皿３と対でなる支持体３ａとを一体化し、調理用のこれらの３点用具を取り出し自在に収納可能にした台所ラックＡ構造にする。【選択図】図１
0003134394.tif 000002
【実用新案登録請求の範囲】
【請求項１】
ステンレス材等の金属棒でなる台所ラック（Ａ）において、所定の間隔で２列に並列す山状部（１ａ）と谷状部（１ｂ）での略Ｍ字状の本体（１）が支持アーム部（１ｃ）を経由して一体化構成し、双方の谷状部（１ｂ）にまたがって安定的に、調理鍋等の蓋（Ｂ）が取り出し自在に収納され、これら本体（１）の一部に菜箸（Ｃ）等が収納と取り出し自在でなるリング体（２）と、お玉（Ｄ）等を収納と取り出し自在でなる受け皿（３）と其れに対でなる支持体（３ａ）とを一体化し、調理用のこれらの３点用具を取り出し自在に収納可能で手軽に移動出来る構成にした事を特徴とする台所ラック。
【考案の詳細な説明】
【技術分野】
【０００１】  この考案は、台所で調理鍋での料理作りの途中で、傍に置いて便利に遣える台所ラックで、調理鍋の蓋と菜箸とお玉の３点用具を集中収納が出来て取り出しの楽な、且つ手軽に移動の出来る台所ラックに関する。
【背景技術】
【０００２】  この種の従来の最も近い技術として，まれにステンレスワイヤで折り曲げられた４本足の付いた調理鍋の蓋置きなどが台所ラックとして商品化されているが、菜箸の多くは箸立てや据え置きの台所ラックに具備するフック等に引っ掛けて収納され、調理途中では菜箸やお玉等を使い味付けや盛り付け時は手元の皿にチョイ置きしたり、調理鍋の蓋に乗せたり、据え置きのラックに引っ掛ける等し、収納や取り扱いをしている。
【考案の開示】
【考案が解決しようとする課題】
【０００３】  しかしながら上記する従来技術の場合は、台所での調理鍋を使っての料理では、菜箸やお玉等は、個別にバラバラに収納されている為に、料理途中で煮加減を見たり、味加減確認の為に開けた調理鍋の蓋は置き場所に途惑い、菜箸は箸立等から出し入れをし、お玉もまた個別に設けたフック等を使って出し入れをしなければならないという煩わしさや、バラバラに収納スペースを必要としなければならないという課題が有り、台所で調理鍋を使っての料理時は手近に鍋の蓋置きや菜箸やお玉等の３点をまとめて置き、其の場で素早く取り扱いが出来、即調理後は簡単に邪魔にならない場所にそのまま移動出来る、低コストでコンパクトな、利便性の高い台所ラックが広く望まれて居た。
【課題を解決するための手段】
【０００４】  この考案はかかる課題を解決する為に、請求項１での考案は、図１、図２、図３で示すように、ステンレス材等の金属棒でなる台所ラックＡにおいて、所定の間隔で２列に並列する山状部１ａと谷上部１ｂでの略Ｍ字状の本体１が支持アーム１ｃを経由して一体化構成し、並列する双方の谷状部１にまたがって調理鍋等の蓋Ｂが取り出し自在に安定的に収納され、更に本体１の一部に菜箸Ｃ等が出し入れ自在に収納出来るリング体２と、更にお玉Ｄ等を収納取り出し楽に出来る、受け皿３とそれに対でなる支持体３ａとを夫々本体１に一体化し、調理用の３点用具を取り出し自在を可能にした構成としている。
【考案の効果】
【０００５】  本考案は上述の通り構成作用するので次ぎの優れた効果を奏する。即ち請求項１での実施例で述べるように、台所での料理作りの途中で手近かな場所に台所ラックを置き、蓋や菜箸やお玉をワンタッチで出し入れを楽に出来る低コストで、小型軽量で、手軽に移動が出来、３点用具を一括収納出来、調理鍋での料理時に３点の用具のチョイ置きから３点用具の収納が出来る台所ラックを提供することが出来る。
【考案を実施するための最良の形態】
【０００６】  以下にに図示の実施例に基づき本考案を更に詳細に説明する。即ち図１は本考案での請求項１での、実施例に基づく全体を示す斜視図で、錆難い光沢のあるステンレス材の細長い丸棒を使い山状部１ａと谷状部１ｂでの略Ｍ字状に折り曲げた２個の本体１を所定の間隔をおいて並列形態にし双方の下部端子１ｄに近接して、夫々にステンレス材丸棒の支持アーム部１ｃを溶接し、一体化した本体１に構成したもので、これらの本体１の４箇所の下部端子１ｄの先端に安定して接地の出来るキャップ体４を固着した構成とする。【０００７】  これらの本体１は、更に菜箸Ｃ等を収納し、取り出し自在でなる２個からなるステンレス丸材でのリング体２を本体１の片方側面の上側と下側に夫々対で溶接で固着し、菜箸Ｃを差し込み自在にし収納するが、菜箸Ｃに限らず焼き鳥に使う金属くしや、他の台所での棒状用具を収納すなどの利用も出来る。【０００８】  更にまた本体１の他方側面の下部端子１ｄに設けた支持アーム部１ｃに金属製でなる皿状の比較的小さな浅底でなる受け皿３を溶着し、お玉Ｄを載せる為の収納部位とするが、これらの受け皿３は支持アーム１ｃに曲げ加工を加え台座を設け、受け皿３の嵌め込み自在での着脱構成にする等も良い。（図示せず）これらの受け皿３に載せられたお玉Ｄの取っ手Ｃ１の倒れを防ぐ為のステンレス材丸棒を折り曲げでなる支持体３ａの両端子が本体１の双方の山状部１ａに近接して溶着で本体１に一体化される構成で、これらのお玉Ｄ等の収納取り出し自在な受け皿３と対でなる支持体３ａとでお玉Ｄ置きを構成するが、これらの装備に必ずしもお玉Ｄを収納する事を特定するものでなく他の台所用具の収納も出来るなどの機能である。【０００９】  そして図３では本考案での台所ラックＡの使用例を全体斜視図で述べる様に、調理鍋の蓋Ｂは本体１での略Ｍ字状の谷部状１ｂの双方にまたがって差し込み、取っ手Ｂ１を並列する本体１の所定の隙間の外向けに落とし込むことで安定的に、安直に取りだし自在に収納を可能にしている。【００１０】  次ぎに請求項１での本実施例での他での構成を図２での全体斜視図で述べるに、前記する図１は略Ｍ字状に曲げられた２個の本体１が所定の間隔で２列に並列し、これらの双方の下部端子１ｄに近接して、夫々にステンレス材丸棒直線での支持アーム部１ｃを溶接で一体化した本体１構成に対し、図２での実施例は、本体１は一本のステンレス材丸棒が、一筆書きの様に２個の略Ｍ字状が支持アーム部１ｃを経由し折り曲げらての端子溶着での本体１構成で、これらの片方の側面に菜箸Ｃ立ての２個のリング体２とお玉Ｄ等を収納取り出し自在でなる受け皿３と支持体３ａとが対での構成からなる、低コストを狙いとする実施例を示している。【００１１】  上記図１または図２の何れも請求項１をクリアーしての構成での実施例とするが、本体１とリング体２と受け皿３に対となる支持体３ａの配置座標は特定するもので無く、本体１の一部にこれらが合法的に一体化される構成で有れば良い。【００１２】  また上記する本体１の材質は本実施例では、錆に請いステンレスワイヤーでの構成としているが、軟質で曲げ加工が楽な鉄線にし、これらが錆止めと装飾性を高める為のカラー塗装仕上げ等でも良いしま���本体１に後付けの２個のリング体２の形状や、支持体３ａの凸部形状はアクセサリーを兼ねたハート形や他の形状でワンポイントアクセサリーにするのも良い。（図示せず）【００１３】  次ぎに図３は本考案での使用例での全体を示す斜視図で、鍋料理時に手元の平面Ｄに置かれた台所ラックＡには、お玉Ｄは取っ手Ｃ１を支持体３ａに持ちかけて受け皿３に載せて収納され、常時取り出しを楽に出来、そして菜箸Ｃは２個のリング体２に差し込み収納し、常時取り出しを楽にしている。そしてまた料理途中で取り出した鍋の蓋Ｂは、台所ラックＡの本体１に形成する谷状部１ｂの双方にまたがって、取り置き楽に蓋Ｂを収納している。そして鍋から外す時に蓋Ｂの取っ手Ｂ１を持った手は其のまま楽に台所ラックＡに移して収納できる。
【図面の簡単な説明】
【００１４】
【図１】    本考案に係わる実施例での全体図斜視図である。
【図２】    本考案に係わる他の実施例での全体斜視図である。
【図３】    本考案に係わる使用例での全体斜視図である。
【符合の説明】
【００１５】    １    本体
１ａ  山状部
１ｂ  谷状部
１ｃ  支持アーム部
２    リング体
３    受け皿
３ａ  支持体
Ａ    台所ラック
Ｂ    蓋
Ｂ１，Ｃ１  取っ手
Ｃ    菜箸
Ｄ    お玉
【図１】
0003134394.tif 000003
【図２】
0003134394.tif 000004
【図３】
0003134394.tif 000005